【手続補正書】
【提出日】平成16年2月4日(2004.2.4)
【手続補正１】
【補正対象書類名】特許請求の範囲
【補正対象項目名】全文
【補正方法】変更
【補正の内容】
【特許請求の範囲】
【請求項１】
複数の走査電極と複数の信号電極とを備えた液晶パネルを駆動するための駆動用ＩＣにおいて、
前記複数の走査電極のそれぞれと電気的接続をとるための複数の走査電極用電極端子と、
前記複数の信号電極のそれぞれと電気的接続をとるための複数の信号電極用電極端子とを有し、
前記走査電極用電極端子及び前記信号電極用電極端子は、それぞれ、前記駆動用ＩＣの隣り合う別々の辺に沿って設けられ、一方の辺に沿って設けられた電極端子における他方の辺側の端部の電極端子と他方の辺に沿って設けられた電極端子における一方の辺側の端部の電極端子との間には、前記走査電極用電極端子同士の間隔及び前記信号電極用電極端子同士の間隔よりも広い間隔が形成されていることを特徴とする駆動用ＩＣ。
【請求項２】
液晶を挟んで互いに対向する一対の透光性基板を有し、複数の走査電極と複数の信号電極とを備えた液晶パネルと、それらの透光性基板のうちの少なくともいずれか１つに搭載されている駆動用ＩＣとを有する液晶装置において、
前記駆動用ＩＣは、
前記複数の走査電極のそれぞれと電気的接続をとるための複数の走査電極用電極端子と、
前記複数の信号電極のそれぞれと電気的接続をとるための複数の信号電極用電極端子とを有し、
前記走査電極用電極端子及び前記信号電極用電極端子は、それぞれ、前記駆動用ＩＣの隣り合う別々の辺に沿って設けられ、一方の辺に沿って設けられた電極端子における他方の辺側の端部の電極端子と他方の辺に沿って設けられた電極端子における一方の辺側の端部の電極端子との間には、前記走査電極用電極端子同士の間隔及び前記信号電極用電極端子同士の間隔よりも広い間隔が形成されていることを特徴とする液晶装置。
【請求項３】
液晶を挟んで互いに対向する一対の透光性基板を備えた液晶パネルと、それらの透光性基板のうちの少なくともいずれか１つに搭載されている駆動用ＩＣとを有する液晶装置において、
前記液晶パネルは、
それらの透光性基板のうちのいずれか一方に形成されていて前記駆動用ＩＣが装着されたＩＣ装着領域と、
前記一方の透光性基板に形成され、前記ＩＣ装着領域まで延びる複数の走査電極と、
前記一方の透光性基板に形成され、前記ＩＣ装着領域まで延びる複数の信号電極とを有し、
前記駆動用ＩＣは、
前記複数の走査電極のそれぞれと電気的接続をとるための複数の走査電極用電極端子と、
前記複数の信号電極のそれぞれと電気的接続をとるための複数の信号電極用電極端子とを有し、
前記走査電極用電極端子及び前記信号電極用電極端子は、それぞれ、前記駆動用ＩＣの隣り合う別々の辺に沿って設けられ、一方の辺に沿って設けられた電極端子における他方の辺側の端部の電極端子と他方の辺に沿って設けられた電極端子における一方の辺側の端部の電極端子との間には、前記走査電極用電極端子同士の間隔及び前記信号電極用電極端子同士の間隔よりも広い間隔が形成されており、
前記駆動用ＩＣの前記走査電極用電極端子に前記液晶パネルの前記走査電極が導電接続され、前記駆動用ＩＣの前記信号電極用電極端子に前記液晶パネルの前記信号電極が導電接続されていることを特徴とする液晶装置。
【請求項４】
請求項２又は３に記載の液晶装置と、前記液晶装置に電力を供給する電源部と、前記液晶装置の動作を制卸する制御部とを有することを特徴とする電子機器。
【手続補正２】
【補正対象書類名】明細書
【補正対象項目名】発明の名称
【補正方法】変更
【補正の内容】
【発明の名称】駆動用ＩＣ、液晶装置及び電子機器
【手続補正３】
【補正対象書類名】明細書
【補正対象項目名】０００１
【補正方法】変更
【補正の内容】
【０００１】
本発明は、液晶を駆動するための駆動用ＩＣ、液晶パネルに液晶駆動用ＩＣを搭載して形成される液晶装置、そしてその液晶装置を用いた電子機器に関する。
【手続補正４】
【補正対象書類名】明細書
【補正対象項目名】０００９
【補正方法】変更
【補正の内容】
【０００９】
請求項１に記載の発明は、複数の走査電極と複数の信号電極とを備えた液晶パネルを駆動するための駆動用ＩＣにおいて、前記複数の走査電極のそれぞれと電気的接続をとるための複数の走査電極用電極端子と、前記複数の信号電極のそれぞれと電気的接続をとるための複数の信号電極用電極端子とを有し、前記走査電極用電極端子及び前記信号電極用電極端子は、それぞれ、前記駆動用ＩＣの隣り合う別々の辺に沿って設けられ、一方の辺に沿って設けられた電極端子における他方の辺側の端部の電極端子と他方の辺に沿って設けられた電極端子における一方の辺側の端部の電極端子との間には、前記走査電極用電極端子同士の間隔及び前記信号電極用電極端子同士の間隔よりも広い間隔が形成されていることを特徴とするものである。
【手続補正５】
【補正対象書類名】明細書
【補正対象項目名】００１０
【補正方法】変更
【補正の内容】
【００１０】
請求項２に記載の発明は、液晶を挟んで互いに対向する一対の透光性基板を有し、複数の走査電極と複数の信号電極とを備えた液晶パネルと、それらの透光性基板のうちの少なくともいずれか１つに搭載されている駆動用ＩＣとを有する液晶装置において、前記駆動用ＩＣは、前記複数の走査電極のそれぞれと電気的接続をとるための複数の走査電極用電極端子と、前記複数の信号電極のそれぞれと電気的接続をとるための複数の信号電極用電極端子とを有し、前記走査電極用電極端子及び前記信号電極用電極端子は、それぞれ、前記駆動用ＩＣの隣り合う別々の辺に沿って設けられ、一方の辺に沿って設けられた電極端子における他方の辺側の端部の電極端子と他方の辺に沿って設けられた電極端子における一方の辺側の端部の電極端子との間には、前記走査電極用電極端子同士の間隔及び前記信号電極用電極端子同士の間隔よりも広い間隔が形成されていることを特徴とするものである。
【手続補正６】
【補正対象書類名】明細書
【補正対象項目名】００１１
【補正方法】変更
【補正の内容】
【００１１】
請求項３に記載の発明は、液晶を挟んで互いに対向する一対の透光性基板を備えた液晶パネルと、それらの透光性基板のうちの少なくともいずれか１つに搭載されている駆動用ＩＣとを有する液晶装置において、前記液晶パネルは、それらの透光性基板のうちのいずれか一方に形成されていて前記駆動用ＩＣが装着されたＩＣ装着領域と、前記一方の透光性基板に形成され、前記ＩＣ装着領域まで延びる複数の走査電極と、前記一方の透光性基板に形成され、前記ＩＣ装着領域まで延びる複数の信号電極とを有し、前記駆動用ＩＣは、前記複数の走査電極のそれぞれと電気的接続をとるための複数の走査電極用電極端子と、前記複数の信号電極のそれぞれと電気的接続をとるための複数の信号電極用電極端子とを有し、前記走査電極用電極端子及び前記信号電極用電極端子は、それぞれ、前記駆動用ＩＣの隣り合う別々の辺に沿って設けられ、一方の辺に沿って設けられた電極端子における他方の辺側の端部の電極端子と他方の辺に沿って設けられた電極端子における一方の辺側の端部の電極端子との間には、前記走査電極用電極端子同士の間隔及び前記信号電極用電極端子同士の間隔よりも広い間隔が形成されており、前記駆動用ＩＣの前記走査電極用電極端子に前記液晶パネルの前記走査電極が導電接続され、前記駆動用ＩＣの前記信号電極用電極端子に前記液晶パネルの前記信号電極が導電接続されていることを特徴とするものである。
【手続補正７】
【補正対象書類名】明細書
【補正対象項目名】００１２
【補正方法】変更
【補正の内容】
【００１２】
請求項４に記載の発明は、電子機器において、請求項２又は３に記載の液晶装置と、前記液晶装置に電力を供給する電源部と、前記液晶装置の動作を制卸する制御部とを有することを特徴とするものである。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００１８
【補正方法】削除
【補正の内容】
【手続補正１４】
【補正対象書類名】明細書
【補正対象項目名】００１９
【補正方法】削除
【補正の内容】
【手続補正１５】
【補正対象書類名】明細書
【補正対象項目名】００２０
【補正方法】削除
【補正の内容】
【手続補正１６】
【補正対象書類名】明細書
【補正対象項目名】００２１
【補正方法】削除
【補正の内容】
【手続補正１７】
【補正対象書類名】明細書
【補正対象項目名】００２２
【補正方法】削除
【補正の内容】
【手続補正１８】
【補正対象書類名】明細書
【補正対象項目名】００２３
【補正方法】削除
【補正の内容】
【手続補正１９】
【補正対象書類名】明細書
【補正対象項目名】００２４
【補正方法】変更
【補正の内容】
【００２４】
請求項１〜３に記載の発明によれば、駆動用ＩＣにおいて、隣り合う別々の辺に沿って設けられ信号電極用電極端子と走査電極用電極端子とに関して、一方の辺に沿って設けられた電極端子における他方の辺側の端部の電極端子と他方の辺に沿って設けられた電極端子における一方の辺側の端部の電極端子との間に広い間隔を設けたので、それらに導電接続する液晶パネル側の互いに隣り合う信号電極と走査電極との間にも広い間隔を形成できる。その結果、それらの信号電極の全てに信号電極用導電性部材を接触させ、さらに、走査電極の全てに走査電極用導電性部材を接触させたとしても、両導電性部材の間に常に電気絶縁用の空間を維持できる。つまり、信号電極用導電性部材と走査電極用導電性部材とを短絡させることなく、全ての信号電極に対して信号電極用導電性部材を導通でき、さらに、全ての走査電極に対して走査電極用導電性部材を導通でき、それ故、液晶パネルの表示エリアの全てに検査用の映像を表示させてその表示特性の良否を検査できる。
【手続補正２０】
【補正対象書類名】明細書
【補正対象項目名】００２５
【補正方法】変更
【補正の内容】
【００２５】
請求項４に記載の発明によれば、電子機器に含まれる液晶装置に関しては、その表示エリアの全面に検査用映像を表示して検査を行うことができるので、不良品の液晶装置を電子機器内に組み込む可能性を低減できる。
【手続補正２１】
【補正対象書類名】明細書
【補正対象項目名】００２６
【補正方法】削除
【補正の内容】
【手続補正２２】
【補正対象書類名】明細書
【補正対象項目名】００２７
【補正方法】削除
【補正の内容】
【手続補正２３】
【補正対象書類名】明細書
【補正対象項目名】００２８
【補正方法】削除
【補正の内容】
【手続補正２４】
【補正対象書類名】明細書
【補正対象項目名】００２９
【補正方法】削除
【補正の内容】
【手続補正２５】
【補正対象書類名】明細書
【補正対象項目名】００３０
【補正方法】削除
【補正の内容】
【手続補正２６】
【補正対象書類名】明細書
【補正対象項目名】００３１
【補正方法】削除
【補正の内容】
【手続補正２７】
【補正対象書類名】明細書
【補正対象項目名】００３２
【補正方法】削除
【補正の内容】
【手続補正２８】
【補正対象書類名】明細書
【補正対象項目名】００３３
【補正方法】削除
【補正の内容】
【手続補正２９】
【補正対象書類名】明細書
【補正対象項目名】００３４
【補正方法】削除
【補正の内容】